(57)【要約】【課題】  外筐の内部に配置された内部構造の視認性の低下等によるデザイン性の向上を図る。【解決手段】  【請求項１】  上面部３を有する外筐２と、駆動時に発熱する回路基板１６及び電子部品１８、１８、・・・を有し外筐の内部に配置された内部構造１４とを設け、外筐の上面部に外筐の内部に連通する放熱孔７、７、・・・を形成し、放熱孔の内部に上面部の上面３ａと同じ方向を向く段差面１１、１１、・・・を形成し、段差面の光沢度を上面部の上面の光沢度より高くした。これにより上面部を視認したときに光沢度の高い段差面が視野に入るため、外筐の内部の視認性が低下し、内部構造を見え難くすることができる。【選択図】        図４
2011181742.tif 000002
【特許請求の範囲】
【請求項１】
所定の方向を向く放熱孔形成面部を有する外筐と、
駆動時に発熱する放熱体を有し前記外筐の内部に配置された内部構造とを備え、
前記外筐の放熱孔形成面部に前記外筐の内部に連通する放熱孔が形成され、
前記放熱孔の内部に前記放熱孔形成面部の外面と同じ方向を向く段差面が形成され、
前記段差面の光沢度が前記放熱孔形成面部の外面の光沢度より高くされた
電子機器。
【請求項２】
前記放熱孔形成面部に前記段差面と同じ方向を向き光沢度が前記放熱孔と同じにされた底面を有し前記外面が向く方向に開口された飾り穴が形成され、
前記段差面と前記底面が同一平面上に位置された
請求項１に記載の電子機器。
【請求項３】
前記放熱孔形成面部が前記外筐の上面部とされた
請求項１に記載の電子機器。
【請求項４】
前記外筐に操作釦が配置され前記上面部の前縁から下方へ突出された前面部が設けられ、
前記段差面が前記放熱孔における後端部に形成された
請求項３に記載の電子機器。
【請求項５】
前記段差面が前記放熱孔の全周に形成された
請求項１に記載の電子機器。
【発明の詳細な説明】
【技術分野】
【０００１】
本発明は電子機器についての技術分野に関する。詳しくは、放熱孔形成面部の外面より光沢度の高い段差面を放熱孔に形成して外筐の内部に配置された内部構造の視認性の低下等を図る技術分野に関する。
【背景技術】
【０００２】
音声記録再生装置、画像記録再生装置、撮像装置、携帯用端末装置、情報処理装置、ネットワーク通信装置等の各種の電子機器には、外筐の内部に所定の内部構造が配置されたものがある。
【０００３】
このような電子機器においては、内部構造の一部として回路基板や該回路基板上に搭載された各種の電子部品が設けられており、駆動時には、これらの回路基板や電子部品が発熱し、外筐の内部の温度が上昇する。
【０００４】
そこで、電子機器にあっては、外筐の内部における温度上昇を抑制するために外筐に放熱孔（通気孔）を形成し外筐の内部において発生した熱を放熱孔から外部へ放出するようにしたものがある（例えば、特許文献１参照）。
【０００５】
【特許文献１】特開２００１−１４８５８０号公報
【発明の開示】
【発明が解決しようとする課題】
【０００６】
ところが、外筐に放熱孔を形成すると、使用者が電子機器を外部から視認したときに内部構造が放熱孔を介して見えてしまうおそれがある。
【０００７】
また、放熱孔を形成する周面（放熱孔の内周面）が見えて外筐に対する放熱孔の存在が目立ってしまうおそれもあり、デザイン性を損なうことになってしまう。
【０００８】
そこで、本発明電子機器は、上記した問題点を克服し、外筐の内部に配置された内部構造の視認性の低下等によるデザイン性の向上を図ることを課題とする。
【課題を解決するための手段】
【０００９】
電子機器は、上記した課題を解決するために、所定の方向を向く放熱孔形成面部を有する外筐と、駆動時に発熱する放熱体を有し前記外筐の内部に配置された内部構造とを備え、前記外筐の放熱孔形成面部に前記外筐の内部に連通する放熱孔が形成され、前記放熱孔の内部に前記放熱孔形成面部の外面と同じ方向を向く段差面が形成され、前記段差面の光沢度が前記放熱孔形成面部の外面の光沢度より高くされたものである。
【００１０】
従って、外筐の放熱孔形成面部を視認したときに放熱孔の内部が光って見える。
【００１１】
上記した電子機器においては、前記放熱孔形成面部に前記段差面と同じ方向を向き光沢度が前記放熱孔と同じにされた底面を有し前記外面が向く方向に開口された飾り穴が形成され、前記段差面と前記底面が同一平面上に位置されることが望ましい。
【００１２】
放熱孔形成面部に上記のような底面を有する飾り穴が形成されることにより、放熱孔形成面部を視認したときに飾り穴の底面と段差面が同様の穴として一体感を持って認識される。
【００１３】
上記した電子機器においては、前記放熱孔形成面部が前記外筐の上面部とされることが望ましい。
【００１４】
放熱孔形成面部が外筐の上面部とされることにより、使用者の視野に最も入り易い上面部が放熱孔形成面部とされる。
【００１５】
上記した電子機器においては、前記外筐に操作釦が配置され前記上面部の前縁から下方へ突出された前面部が設けられ、前記段差面が前記放熱孔における後端部に形成されることが望ましい。
【００１６】
外筐に操作釦が配置された前面部が設けられ段差面が放熱孔における後端部に形成されることにより、使用者の操作釦に対する操作時に上斜め前方から放熱孔形成面部が視認される。
【００１７】
上記した電子機器においては、前記段差面が前記放熱孔の全周に形成されることが望ましい。
【００１８】
段差面が放熱孔の全周に形成されることにより、放熱孔を何れの方向から見たときにおいても段差面が視認される。
【発明の効果】
【００１９】
本発明電子機器は、所定の方向を向く放熱孔形成面部を有する外筐と、駆動時に発熱する放熱体を有し前記外筐の内部に配置された内部構造とを備え、前記外筐の放熱孔形成面部に前記外筐の内部に連通する放熱孔が形成され、前記放熱孔の内部に前記放熱孔形成面部の外面と同じ方向を向く段差面が形成され、前記段差面の光沢度が前記放熱孔形成面部の外面の光沢度より高くされている。
【００２０】
従って、放熱孔形成面部を視認したときに光沢度の高い段差面が視野に入るため、外筐の内部の視認性が低下し、内部構造を見え難くしてデザイン性の向上を図ることができる。
【００２１】
また、放熱孔形成面部を視認したときに光沢度の高い段差面が目立って見えるため、放熱孔の存在が目立たなくなり、内部構造を一層見え難くすることができる。
【００２２】
請求項２に記載した発明にあっては、前記放熱孔形成面部に前記段差面と同じ方向を向き光沢度が前記放熱孔と同じにされた底面を有し前記外面が向く方向に開口された飾り穴が形成され、前記段差面と前記底面が同一平面上に位置されている。
【００２３】
従って、放熱孔形成面部を視認したときに飾り穴の底面と段差面が同様の穴として一体感を持って認識されるため、外筐の良好なデザイン性を確保することができると共に内部構造を見え難くすることができる。
【００２４】
請求項３に記載した発明にあっては、前記放熱孔形成面部が前記外筐の上面部とされている。
【００２５】
従って、上面部が使用者の視野に最も入り易い放熱孔形成面部とされているため、上面部の良好なデザイン性を確保することにより電子機器の全体のデザイン性の向上を図ることができる。
【００２６】
請求項４に記載した発明にあっては、前記外筐に操作釦が配置され前記上面部の前縁から下方へ突出された前面部が設けられ、前記段差面が前記放熱孔における後端部に形成されている。
【００２７】
従って、使用者の操作釦に対する操作時に上斜め前方から放熱孔形成面部を視認したときに、使用者の視野に段差面が確実に入り、外筐の内部の視認性が低下し、内部構造を見え難くしてデザイン性の向上を図ることができる。
【００２８】
請求項５に記載した発明にあっては、前記段差面が前記放熱孔の全周に形成されている。
【００２９】
従って、何れの方向から見たときにおいても外筐の内部の視認性が低下し、内部構造を見え難くしてデザイン性の向上を図ることができる。
【発明を実施するための最良の形態】
【００３０】
以下に、本発明電子機器の実施の形態を添付図面に従って説明する。
【００３１】
以下に示した実施の形態は、本発明電子機器を無線によってネットワークとの通信を行うネットワーク通信装置に適用したものである。
【００３２】
尚、本発明の適用範囲は無線によってネットワークとの通信を行うネットワーク通信装置に限られることはない。本発明は、音声記録再生装置、画像記録再生装置、カメラ等の撮像装置、携帯電話等の携帯用端末装置、パーソナルコンピューター等の情報処理装置、無線以外のネットワーク通信装置等の外筐の内部に放熱体を有する内部構造が配置された他の各種の電子機器に広く適用することができる。
【００３３】
以下の説明にあっては、放熱孔が外筐の上面部に形成されたものとして前後上下左右の方向を示すものとする。
【００３４】
尚、以下に示す前後上下左右の方向は説明の便宜上のものであり、本発明の実施に関しては、これらの方向に限定されることはない。
【００３５】
［全体構成］
電子機器（ネットワーク通信装置）１は外筐２の内部に所要の各部が配置されて成る（図１及び図２参照）。
【００３６】
外筐２は下方及び後方に開口された箱状に形成され、上面部３と該上面部３の前縁から下方へ突出された前面部４と上面部３の左右両側縁からそれぞれ下方へ突出された側面部５、５と前面部４の下縁から後方へ突出された取付部６とが一体に形成されて成る。取付部６は上面部３の前端部の真下にのみ位置されている。
【００３７】
上面部３には前後左右に等間隔に離隔して複数の放熱孔７、７、・・・が所定の領域（図３に示す領域Ａ）に形成されている。従って、上面部３は放熱孔形成面部としての機能を有する。
【００３８】
放熱孔７は上下に貫通され、例えば、前面８と後面９と側面１０、１０によって囲まれて矩形状に形成されている（図４及び図５参照）。放熱孔７の内部には後端部に上方を向く段差面１１が形成されている。従って、後面９は段差面１１の後縁に連続する上側部９ａと段差面１１の前縁に連続する下側部９ｂとに分割されている。
【００３９】
段差面１１は左右両側縁がそれぞれ側面１０、１０に連続され、例えば、後面９の上端寄りの位置に形成されている。段差面１１は光沢を有する面として形成され、上面部３の上面（外面）３ａより光沢度が高くされている。段差面１１の光沢は、例えば、放電加工を一定時間行うことにより施される。
【００４０】
また、段差面１１は、放熱孔７を形成する他の各面、即ち、前面８、後面９及び側面１０、１０よりも光沢度が高くされている。前面８、後面９及び側面１０、１０は上面部３の上面３ａと光沢度が同じにされている。
【００４１】
上面部３には前後左右に等間隔に離隔して上方に開口された複数の飾り穴１２、１２、・・・が形成されている（図１乃至図３参照）。飾り穴１２、１２、・・・は放熱孔７、７、・・・が形成された領域Ａより外側の領域に形成されている。飾り穴１２、１２、・・・は放熱孔７、７、・・・から離れる位置にあるほど外形が小さくされている。
【００４２】
飾り穴１２は、例えば、底面１２ａと下端が底面１２ａの外周縁に連続する四つの周面１２ｂ、１２ｂ、・・・によって囲まれて矩形状に形成されている（図５参照）。飾り穴１２、１２、・・・の底面１２ａ、１２ａ、・・・は段差面１１、１１、・・・と同じ光沢度にされ、上下方向における位置が段差面１１、１１、・・・と同じにされ該段差面１１、１１、・・・と同一平面上に位置されている。
【００４３】
外筐２の前面部４には操作釦１３が配置されている（図１及び図２参照）。前面部４には接続孔４ａが形成されている。
【００４４】
外筐２の内部には内部構造１４が配置されている（図２参照）。内部構造１４は取付ベース１５と回路基板１６とシャーシ１７を有している。
【００４５】
取付ベース１５は上下方向を向く取付面部１５ａと該取付面部１５ａの前縁から上方へ突出された前面壁部１５ｂと取付面部１５ａの左右両側縁からそれぞれ上方へ突出された側面壁部１５ｃ、１５ｃとを有している。
【００４６】
回路基板１６は取付ベース１５の取付面部１５ａ上に取り付けられている。回路基板１６上には複数の電子部品１８、１８、・・・が搭載されている。回路基板１６には放熱フィン１９が取り付けられている。回路基板１６の前端部にはコネクター接続部２０が取り付けられ、該コネクター接続部２０は前面壁部１５ｂから前方へ突出され外筐２の前面部４に形成された接続孔４ａの真後ろに位置される。
【００４７】
シャーシ１７は上下方向を向くベース面部２１と該ベース面部２１の後縁から下方へ突出されたリアパネル部２２とを有している。ベース面部２１には複数の熱排出孔２１ａ、２１ａ、・・・が前後左右に等間隔に離隔して形成されている。
【００４８】
シャーシ１７は取付ベース１５に取り付けられる。シャーシ１７が取付ベース１５に取り付けられた状態においては、熱排出孔２１ａ、２１ａ、・・・が回路基板１６に取り付けられた放熱フィン１９の真上に位置される。
【００４９】
取付ベース１５の前面壁部１５ｂには左右に並んで第１の基板２３と第２の基板２４が取り付けられる。第１の基板２３の前面にはスイッチ２３ａが配置されている。
【００５０】
以上のように構成された内部構造１４は、外筐２に取付ベース１５が取り付けられた状態で外筐２に閉塞される。取付ベース１５における取付面部１５ａの前端部が外筐２の取付部６に取り付けられる。
【００５１】
使用者は図示しないコネクターを外筐２の前面部４に形成された接続孔４ａを介して回路基板１６のコネクター接続部２０に接続することが可能とされ、前面部４に配置された操作釦１３を操作してスイッチ２３ａが押圧されることにより所定の機能を実行させることが可能である。
【００５２】
［電子機器の駆動時］
電子機器１の駆動時には、無線によりインターネット通信が行われ、例えば、インターネットによって受信した画像をテレビジョン等の画面に映し出すことが可能である。
【００５３】
電子機器１の駆動時には、特に、回路基板１６及びこれに搭載された電子部品１８、１８、・・・が発熱する。従って、回路基板１６及び電子部品１８、１８、・・・は放熱体とされる。
【００５４】
発生した熱は回路基板１６に取り付けられた放熱フィン１９からシャーシ１７の熱排出孔２１ａ、２１ａ、・・・及び外筐２の上面部３に形成された放熱孔７、７、・・・から外部へ放出される。従って、外筐２の内部における温度上昇が抑制される。
【００５５】
［内部構造の視認性］
上記したように、電子機器１には外筐２の上面部３に複数の放熱孔７、７、・・・が形成されている。従って、視認角度によっては放熱孔７、７、・・・を介して内部構造１４が見えることになる。
【００５６】
しかしながら、電子機器１にあっては、上記したように、放熱孔７、７、・・・の内部に上面部３の上面３ａより光沢度の高い段差面１１、１１、・・・が形成されている。従って、上面部３を視認したときに光沢度の高い段差面１１、１１、・・・が視野に入るため、外筐２の内部の視認性が低下し、内部構造１４を見え難くしてデザイン性の向上を図ることができる。
【００５７】
また、上面部３を視認したときに光沢度の高い段差面１１、１１、・・・が目立って見えるため、放熱孔７、７、・・・の存在が目立たなくなり、内部構造１４を一層見え難くすることができる。
【００５８】
さらに、外筐２の上面部３には飾り穴１２、１２、・・・が形成され、該飾り穴１２、１２、・・・の底面１２ａ、１２ａ、・・・が段差面１１、１１、・・・と同じ高さ位置において同じ方向を向き光沢度が段差面１１、１１、・・・と同じにされている。従って、上面部３を視認したときに飾り穴１２、１２、・・・の底面１２ａ、１２ａ、・・・と段差面１１、１１、・・・が同様の穴（面）として一体感を持って認識されるため、外筐２の良好なデザイン性を確保することができると共に内部構造１４を見え難くすることができる。
【００５９】
電子機器１には、外筐２の前面部４に操作釦１３が配置されているため、使用者が操作釦１３を操作するときには上斜め前方から上面部３を視認することになる。このとき段差面１１、１１、・・・が放熱孔７、７、・・・における後端部に形成されているため、使用者の視野に段差面１１、１１、・・・が確実に入り、外筐２の内部の視認性が低下し、内部構造１４を見え難くしてデザイン性の向上を図ることができる。
【００６０】
また、電子機器１にあっては、放熱孔形成面部として機能する部分が使用者の視野に最も入り易い上面部３とされているため、上面部３の良好なデザイン性を確保することにより電子機器１の全体のデザイン性の向上を図ることができる。
【００６１】
尚、上記には、外筐２の上面部３に段差面１１、１１、・・・を有する放熱孔７、７、・・・を形成した例を示したが、段差面を有する放熱孔は外筐の何れの部分に形成されていてもよい。
【００６２】
また、上記には、放熱孔７における後端部に段差面１１が形成されている例を示したが、段差面は放熱孔における他の部分に形成されていてもよい。例えば、図６に示すように、放熱孔７Ａの全周に段差面１１Ａが形成されていてもよく、この場合には、何れの方向から見たときにおいても外筐２の内部の視認性が低下し、内部構造１４を見え難くしてデザイン性の向上を図ることができる。
【００６３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６４】
【図１】図２乃至図６と共に本発明電子機器の実施の形態を示すものであり、本図は、電子機器の斜視図である。
【図２】電子機器の分解斜視図である。
【図３】電子機器の平面図である。
【図４】放熱孔が形成された部分を示す拡大斜視図である。
【図５】放熱孔と飾り穴が形成された部分を示す拡大断面図である。
【図６】放熱孔の全周に段差面が形成された例を示す拡大平面図である。
【符号の説明】
【００６５】
１…電子機器、２…外筐、３…上面部（放熱孔形成面部）、４…前面部、７…放熱孔、１１…段差面、１２…飾り穴、１２ａ…底面、１３…操作釦、１４…内部構造、１６…回路基板（放熱体）、１８…電子部品（放熱体）、７Ａ…放熱孔、１１Ａ…段差面
【図１】
2011181742.tif 000003
【図２】
2011181742.tif 000004
【図３】
2011181742.tif 000005
【図４】
2011181742.tif 000006
【図５】
2011181742.tif 000007
【図６】
2011181742.tif 000008